(57)【要約】【課題】ＬＥＤ（Light  Emitting  Diode）を直列に接続する配線の断線の発生を抑制することができる面状照明装置及び基板を提供すること。【解決手段】  実施形態に係る面状照明装置は、側面から入射された光を出射する導光板と、前記側面側に配置され、前記側面に入射される光を発する複数の光源と、前記複数の光源が実装される実装面を有する基板と、前記基板の前記実装面と反対側の反対面に形成され、前記複数の光源を直列に接続する第１の配線と、を備える。【選択図】図２
2018037397.tif 000002
【特許請求の範囲】
【請求項１】
側面から入射された光を出射する導光板と、
前記側面側に配置され、前記側面に入射される光を発する複数の光源と、
前記複数の光源が実装される実装面を有する基板と、
前記基板の前記実装面と反対側の反対面に形成され、前記複数の光源を直列に接続する第１の配線と、
を備える、面状照明装置。
【請求項２】
前記第１の配線は、前記複数の光源が並ぶ方向に延伸し、一端が、隣接する２つの光源のうち一方の光源と第１のスルーホールを介して接続され、他端が他方の光源と第２のスルーホールを介して接続される、請求項１に記載の面状照明装置。
【請求項３】
前記直列に接続される複数の光源を含む光源列の両端から延伸し、前記反対面に前記第１の配線と接触しないように形成される第２の配線を更に備える、請求項１又は２に記載の面状照明装置。
【請求項４】
前記直列に接続される複数の光源は、前記実装面において第１方向に並んで実装され、
前記第１の配線は、前記反対面の前記第１方向と交差する第２方向における中央部に形成され、
前記反対面の前記第１方向において前記第１の配線が形成されていない範囲では、前記第２の配線が、前記反対面の前記第２方向における中央部に形成され、前記第１の配線の端部と対向する部分において複数の配線に分岐され、
前記反対面の前記第１方向において前記第１の配線が形成されている範囲では、前記複数の配線が、前記反対面の前記第２方向において前記第１の配線の両側に形成される、
請求項３に記載の面状照明装置。
【請求項５】
前記直列に接続される複数の光源は、前記実装面において第１方向に並んで実装され、
複数の前記光源列が、前記実装面において前記第１方向に並び、
一の光源列から延伸する第２の配線と、他の光源列から延伸する第２の配線とが、前記第１方向と交差する第２方向において重なる、請求項３又は４に記載の面状照明装置。
【請求項６】
前記実装面及び前記反対面のうち、前記反対面に前記第１の配線を覆うように配置されるカバーレイを更に備える、請求項１〜５のいずれか１つに記載の面状照明装置。
【請求項７】
複数の光源が実装される実装面を有する基板であって、
前記基板の前記実装面と反対側の反対面に形成され、前記複数の光源を直列に接続する第１の配線を備える基板。
【請求項８】
前記第１の配線は、前記複数の光源が並ぶ方向に延伸し、一端が、隣接する２つの光源のうち一方の光源と第１のスルーホールを介して接続され、他端が他方の光源と第２のスルーホールを介して接続される、請求項７に記載の基板。
【請求項９】
前記直列に接続される複数の光源を含む光源列の両端から延伸し、前記反対面に前記第１の配線と接触しないように形成される第２の配線を更に備える、請求項７又は８に記載の基板。
【請求項１０】
前記直列に接続される複数の光源は、前記実装面において第１方向に並んで実装され、
前記第１の配線は、前記反対面の前記第１方向と交差する第２方向における中央部に形成され、
前記反対面の前記第１方向において前記第１の配線が形成されていない範囲では、前記第２の配線が、前記反対面の前記第２方向における中央部に形成され、前記第１の配線の端部と対向する部分において複数の配線に分岐され、
前記反対面の前記第１方向において前記第１の配線が形成されている範囲では、前記複数の配線が、前記反対面の前記第２方向において前記第１の配線の両側に形成される、
請求項９に記載の基板。
【請求項１１】
前記直列に接続される複数の光源は、前記実装面において第１方向に並んで実装され、
複数の前記光源列が、前記実装面において前記第１方向に並び、
一の光源列から延伸する第２の配線と、他の光源列から延伸する第２の配線とが、前記第１方向と交差する第２方向において重なる、請求項９又は１０に記載の基板。
【請求項１２】
前記実装面及び前記反対面のうち、前記反対面に前記第１の配線を覆うように配置されるカバーレイを更に備える、請求項７〜１１のいずれか１つに記載の基板。
【発明の詳細な説明】
【技術分野】
【０００１】
本発明は、面状照明装置及び基板に関する。
【背景技術】
【０００２】
複数のＬＥＤ（Light  Emitting  Diode）が導光板の入光面に対向するように配置される面状照明装置がある。かかる面状照明装置では、例えば、複数のＬＥＤがＦＰＣ（Flexible  Printed  Circuits）の長手方向に並んで実装面上に配置され、隣接するＬＥＤ間を直列に接続する配線（以下、直列配線と称する）が実装面上に形成されている（例えば、特許文献１参照）。
【先行技術文献】
【特許文献】
【０００３】
【特許文献１】特開２００８−２９８９０５号公報
【発明の概要】
【発明が解決しようとする課題】
【０００４】
しかしながら、直列配線がＦＰＣの実装面上に形成されていると、隣接するＬＥＤの間隔を狭くするほど、直列配線を覆うようにカバーレイ（絶縁層）を配置することが、より困難となる。また、カバーレイが形成されておらず配線層が剥き出しになった部分であってＬＥＤと電気的に接続される部分であるランド部と、ＬＥＤの電極とが半田で電気的に接続されるが、かかる半田が、ランド部から線幅の細い直列配線に流れた場合には、半田の端部に応力集中が生じやすくなる。この点について、図９〜１１を参照して説明する。
【０００５】
図９〜１１は、直列配線がＦＰＣの実装面上に形成されている場合の問題点を説明するための図である。図９では、ＬＥＤ１０１の電極１０１ａとＦＰＣ１０３の実装面１０３ａ上に設けられたランド部１０４の配線１０４ａとが半田１０５により電気的に接続されている。また、ＬＥＤ１０１に隣接するＬＥＤ１０２の電極１０２ａと実装面１０３ａ上に設けられたランド部１０６の配線１０６ａとが半田１０７により電気的に接続されている。そして、図９では、半田１０５、１０７が、隣接するＬＥＤ１０１、１０２を直列に接続する直列配線１０８に流れた場合が示されている。ここで、リワーク等のハンドリングにより、図１０の矢印１１０、１１１が示す方向に応力が掛かった場合には、図１１に示す半田１０５の端部１０５ａ及び半田１０７の端部１０７ａに応力が集中し、直列配線１０８に断線１０８ａ、１０８ｂが発生しやすくなる。
【０００６】
上述したように、直列配線がＦＰＣの実装面上に形成されている場合には、カバーレイを配置することが困難であり、応力集中が生じやすいため、直列配線に断線が生じる可能性が高くなる。この傾向は、隣接するＬＥＤの間隔が狭くなるほど、また、面状照明装置の薄型化に伴って配線の幅（ＦＰＣの短手方向（ＬＥＤが並んでいる方向と交差する方向）における配線の寸法）が狭くなるほど顕著になると考えられる。
【０００７】
本発明は、上記に鑑みてなされたものであって、ＬＥＤを直列に接続する配線の断線の発生を抑制することができる面状照明装置及び基板を提供することを目的とする。
【課題を解決するための手段】
【０００８】
上述した課題を解決し、目的を達成するために、本発明の一態様に係る面状照明装置は、側面から入射された光を出射する導光板と、前記側面側に配置され、前記側面に入射される光を発する複数の光源と、前記複数の光源が実装される実装面を有する基板と、前記基板の前記実装面と反対側の反対面に形成され、前記複数の光源を直列に接続する第１の配線と、を備える。
【発明の効果】
【０００９】
本発明の一態様によれば、ＬＥＤを直列に接続する配線の断線の発生を抑制することができる。
【図面の簡単な説明】
【００１０】
【図１】図１は、実施形態に係る面状照明装置の外観の一例を示す正面図である。
【図２】図２は、図１のＡ−Ａ線における断面図である。
【図３Ａ】図３Ａは、実施形態に係るＦＰＣの反対面を模式的に表した正面図である。
【図３Ｂ】図３Ｂは、実施形態に係るＦＰＣの実装面を模式的に表した正面図である。
【図４】図４は、実施形態に係るＦＰＣの反対面の具体例を表した正面図である。
【図５】図５は、実施形態に係るＦＰＣの実装面の一部の具体例を表した正面図である。
【図６】図６は、図４におけるＦＰＣの部分の拡大図である。
【図７】図７は、実施形態の変形例に係る面状照明装置を説明するための図である。
【図８】図８は、図７における部分の拡大図である。
【図９】図９は、直列配線がＦＰＣの実装面上に形成されている場合の問題点を説明するための図である。
【図１０】図１０は、直列配線がＦＰＣの実装面上に形成されている場合の問題点を説明するための図である。
【図１１】図１１は、直列配線がＦＰＣの実装面上に形成されている場合の問題点を説明するための図である。
【発明を実施するための形態】
【００１１】
以下、実施形態に係る面状照明装置及び基板について図面を参照して説明する。なお、図面における各要素の寸法の関係、各要素の比率などは、現実と異なる場合がある。図面の相互間においても、互いの寸法の関係や比率が異なる部分が含まれている場合がある。
【００１２】
（実施形態）
図１は、実施形態に係る面状照明装置の外観の一例を示す正面図である。図１の例に示すように、実施形態に係る面状照明装置１０の形状は、上面視で略矩形状である。面状照明装置１０の長手方向（Ｙ軸方向）の一端側は、第１遮光シート３０ａ及び第２遮光シート３０ｂを含む遮光シート３０で覆われる。また、面状照明装置１０の長手方向の他端側は、遮光シート３１で覆われる。そして、面状照明装置１０は、遮光シート３０、３１で覆われていない発光領域（発光エリアとも称される）９０から光を出射する。すなわち、遮光シート３０、３１により、発光領域９０が規定される。本実施形態に係る面状照明装置１０は、液晶表示装置のバックライトとして用いられる。かかる液晶表示装置は、例えば、スマートフォンにおいて用いられる。
【００１３】
ここで、図１において、遮光シート３１よりも遮光シート３０の方が、幅が広い。これは、遮光シート３１は、遮光シート３１の下部に存在する後述する導光板１６、拡散シート１８、プリズムシート１９を覆うのに対して、遮光シート３０は、遮光シート３０の下部に存在する後述する導光板１６、拡散シート１８、プリズムシート１９に加え、後述するＬＥＤ１４やＦＰＣ１２等を含む比較的広い領域を覆うためである。
【００１４】
図２は、図１のＡ−Ａ線における断面図である。図２に示すように、面状照明装置１０は、基板（実装基板）としてのＦＰＣ１２、固定部材１３、光源（点状光源）としてのＬＥＤ１４、第１連結部材１５、導光板１６、第２連結部材１７、拡散シート１８、プリズムシート１９、フレーム２０、反射シート２１及び遮光シート３０を有する。
【００１５】
フレーム２０は、ＦＰＣ１２、固定部材１３、ＬＥＤ１４、第１連結部材１５、導光板１６、第２連結部材１７、拡散シート１８、プリズムシート１９、反射シート２１及び両面テープ２２を収納する。フレーム２０は、側壁２０ａと底部２０ｂとを有する。フレーム２０は、剛性と光の反射率が大きい、例えば、ステンレス製の板金フレームである。
【００１６】
底部２０ｂは、導光板１６の後述する主面１６ｂに沿って広がる形状を有する。底部２０ｂは、導光板１６側の面である床面２０ｄを有する。床面２０ｄは、平面２０ｄ＿１及び後述する凹部２０ｃが有する凹状の面２０ｄ＿２を有する。平面２０ｄ＿１には、導光板１６が載置される。側壁２０ａは、導光板１６の後述する入光面１６ｃの長辺に沿って底部２０ｂから、光が出射する方向（床面２０ｄの平面２０ｄ＿１の法線方向、Ｚ軸のプラス方向）に一体に立ち上がる部分である。側壁２０ａは、内側の側面である側面２０ｅを有する。また、底部２０ｂは、凹部２０ｃを有する。凹部２０ｃは、床面２０ｄの側面２０ｅ側の部分から側面２０ｅに沿って光が出射する方向とは逆の方向（Ｚ軸のマイナス方向）に凹むように形成された、ＦＰＣ１２の下端部を逃がす部材である。凹部２０ｃは、凹状の面２０ｄ＿２を有する。第１連結部材１５が凹部２０ｃ（具体的には凹部２０ｃの凹状の面２０ｄ＿２上）に配置されているため、凹部２０ｃの幅（凹部２０ｃのＹ軸方向の寸法）は、より大きな第１連結部材１５が凹部２０ｃに配置されるように、比較的広く形成されている。
【００１７】
導光板１６は、透明材料（例えば、ポリカーボネート樹脂）を用いて上面視で矩形状に形成されている。導光板１６は、２つの主面１６ａ、１６ｂと、ＬＥＤ１４を配置する側の側面である入光側面（入光面）１６ｃとを有する。入光面１６ｃは、面状照明装置１０の短手方向に延伸する短冊状の面である。入光面１６ｃには、ＬＥＤ１４が発した光が入射される。主面１６ａは、入光面１６ｃから入射された光（ＬＥＤ１４が発した光）が出射される出射面である。そのため、以下の説明では、「主面１６ａ」を「出射面１６ａ」と表記する場合がある。導光板１６の出射面１６ａとは反対側の面である主面１６ｂ側には、例えば、複数のドットからなる光路変更パターンが形成されている。光路変更パターンを形成することにより、導光板１６内を進む光の進行方向が変更されて、出射面１６ａから光が出射される。すなわち、実施形態に係る面状照明装置１０は、いわゆるエッジライト型の照明装置である。
【００１８】
反射シート２１は、出射面１６ａとは反対側の主面１６ｂから漏れた光を反射して、再度導光板１６に戻す。反射シート２１は、両面テープ２２により床面２０ｄ（具体的には床面２０ｄの平面２０ｄ＿１）上に固定された状態で、導光板１６の主面１６ｂと床面２０ｄとの間に配置される。
【００１９】
両面テープ２２は、例えば、白色の両面テープである。両面テープ２２の一方の面が反射シート２１の一部に貼り付けられ、他方の面が床面２０ｄ（具体的には床面２０ｄの平面２０ｄ＿１）に貼り付けられる。これにより、両面テープ２２が、反射シート２１を床面２０ｄ上に固定する。
【００２０】
ＬＥＤ１４は、点状の光源（点状光源）である。ＬＥＤ１４は、例えば、青色ＬＥＤと黄色蛍光体とからなる疑似白色ＬＥＤである。ＬＥＤ１４は、全体として略直方体状に形成され、発光面１４ａと、発光面１４ａとは反対側にＦＰＣ１２の後述する実装面１２ａに載置される面とを有する。ＬＥＤ１４は、いわゆるトップビュー型のＬＥＤである。本実施形態では、複数のＬＥＤ１４が、実装面１２ａの長辺方向（Ｘ軸方向）に沿って、所定の間隔を空けて実装面１２ａに配置される。すなわち、複数のＬＥＤ１４の発光面１４ａが、導光板１６の入光面１６ｃに対向された状態で、複数のＬＥＤ１４は、入光面１２ｃの長辺方向（Ｘ軸方向）に沿って、所定の間隔を空けて配置される。そして、複数のＬＥＤ１４は、入光面１６ｃに向けて光を発する。このように、複数のＬＥＤ１４は、入光面１６ｃに入射される光を発する。なお、ＬＥＤ１４は、サイドビュー型のＬＥＤであってもよい。
【００２１】
ＦＰＣ１２は、面状照明装置１０の短手方向（Ｘ軸方向、入光面１６ｃの長辺方向）に延伸する短冊状の基板である。ＦＰＣ１２は、２つの主面１２ａ、１２ｂを有する。２つの主面１２ａ、１２ｂは、面状照明装置１０の短手方向に延伸する短冊状の面である。２つの主面１２ａ、１２ｂのうち、主面１２ａは、ＬＥＤ１４が実装される実装面である。このため、以下、「主面１２ａ」を「実装面１２ａ」と表記する場合がある。実装面１２ａは、ＬＥＤ１４における発光面１４ａと反対側の面と対向する。ＦＰＣ１２を介して、図示しない駆動回路の制御によりＬＥＤ１４が駆動し、点灯する。また、主面１２ｂは、実装面１２ａと反対側の面である。このため、以下、「主面１２ｂ」を「反対面１２ｂ」と表記する場合がある。
【００２２】
固定部材１３は、フレーム２０が有する側面２０ｅに対してＦＰＣ１２を固定させる。固定部材１３は、例えば、両面テープである。固定部材１３の一方の面がＦＰＣ１２の反対面１２ｂに貼り付けられ、他方の面が側面２０ｅに貼り付けられることにより、側面２０ｅに対してＦＰＣ１２が固定される。
【００２３】
第１連結部材１５は、導光板１６及びＬＥＤ１４と床面２０ｄ（具体的には床面２０ｄの凹状の面２０ｄ＿２）との間に配置され、導光板１６とＬＥＤ１４とを光学的または構造的に連結させる。具体例を挙げて説明すると、第１連結部材１５は、導光板１６の光軸とＬＥＤ１４の光軸とが一致された状態で、導光板１６の入光面１６ｃとＬＥＤ１４の発光面１４ａとを連結させる。第１連結部材１５は、短冊状の片面テープであり、粘着層（粘着剤）１５ａ及び基材１５ｂを含む。
【００２４】
基材１５ｂは、例えば、ＰＥＴであり、粘着層１５ａは、例えば、シリコンやアクリルである。粘着層１５ａは、導光板１６の主面１６ｂのＬＥＤ１４寄りの少なくとも一部に粘着するとともに、ＬＥＤ１４の床面２０ｄ側の面の導光板１６寄りの少なくとも一部に粘着する。これにより、第１連結部材１５に、導光板１６の主面１６ｂの少なくとも一部と、ＬＥＤ１４の床面２０ｄ側の面の少なくとも一部とが取り付けられることとなる。この結果、第１連結部材１５は、導光板１６の入光面１６ｃとＬＥＤ１４の発光面１４ａとを連結させる。
【００２５】
ここで、仮に、第１連結部材１５が両面テープである場合について説明する。この場合には、床面２０ｄに対して導光板１６及びＬＥＤ１４が固定されるため、面状照明装置１０に外部から何らかの力が加わると、導光板１６及びＬＥＤ１４は、その力を逃がすことができずに、破損してしまうことが考えられる。しかしながら、本実施形態に係る第１連結部材１５は、片面テープであるため、床面２０ｄに対して導光板１６及びＬＥＤ１４が固定されないので、導光板１６及びＬＥＤ１４は、外部からの力を逃がすことができる。このため、本実施形態に係る面状照明装置１０によれば、導光板１６及びＬＥＤ１４の破損の発生を抑制することができる。
【００２６】
第１連結部材１５は、光を吸収する部材、又は、光を反射する部材を有する。例えば、第１連結部材１５が、光を反射する部材を有する場合には、ＬＥＤ１４の発光面１４ａから発された光を反射して、再度導光板１６に戻すため、輝度を向上させることができる。
【００２７】
第２連結部材１７は、導光板１６及びＬＥＤ１４に対して第１連結部材１５とは反対側に配置され、導光板１６とＬＥＤ１４とを光学的または構造的に連結させる。具体例を挙げて説明すると、第２連結部材１７は、導光板１６の入光面１６ｃとＬＥＤ１４の発光面１４ａとを連結させる。第２連結部材１７は、後述する拡散シート１８と導光板１６及びＬＥＤ１４との間に配置される。第２連結部材１７は、例えば、両面テープである。第２連結部材１７の一方の面が、導光板１６の出射面１６ａのＬＥＤ１４寄りの少なくとも一部に貼り付けられるとともに、ＬＥＤ１４の床面２０ｄ側の面とは反対側の面の導光板１６寄りの少なくとも一部に貼り付けられる。これにより、第２連結部材１７に、導光板１６の出射面１６ａの少なくとも一部と、ＬＥＤ１４の床面２０ｄ側の面とは反対側の面の少なくとも一部とが取り付けられることとなる。この結果、第２連結部材１７は、導光板１６の入光面１６ｃとＬＥＤ１４の発光面１４ａとを連結させる。
【００２８】
また、第２連結部材１７の他方の面が、拡散シート１８の側壁２０ａ側の少なくとも一部に貼り付けられる。これにより、第２連結部材１７は、拡散シート１８を導光板１６及びＬＥＤ１４に固定させる。したがって、第２連結部材１７は、拡散シート１８が導光板１６から浮いてしまうことを抑制することができるので、発光領域９０から出射される光の輝度や輝度分布等の輝度特性の劣化を抑制することができる。
【００２９】
拡散シート１８は、導光板１６の出射面１６ａ側に配置され、出射面１６ａから出射される光を拡散する。具体例を挙げて説明すると、拡散シート１８は、出射面１６ａ及びＬＥＤ１４の床面２０ｄとは反対側の面の少なくとも一部を覆うように配置され、出射面１６ａから出射された光を拡散する。拡散シート１８は、上述したように、第２連結部材１７により導光板１６及びＬＥＤ１４に固定される。
【００３０】
プリズムシート１９は、拡散シート１８の出射面１６ａに対向する面とは反対側の面に配置され、拡散シート１８により拡散された光の配光制御を行って、配光制御が行われた光を出射する。
【００３１】
遮光シート３０は、プリズムシート１９の側壁２０ａ側の一部を覆うように配置され、導光板１６の出射面１６ａのうち一部の領域から出射される光を遮る。
【００３２】
遮光シート３０は、第１遮光シート３０ａ及び第２遮光シート３０ｂを含む。例えば、第１遮光シート３０ａは、光を遮ることが可能な片面テープである。第１遮光シート３０ａの一端側は、フレーム２０の側壁２０ａの外側の面に貼り付けられる。また、例えば、第２遮光シート３０ｂは、光を遮ることが可能な両面テープである。第２遮光シート３０ｂが有する２つの面のうち、一方の面の一端側が、第１遮光シート３０ａの他端側に貼り付けられ、一方の面の他端側が、プリズムシート１９の側壁２０ａ側に貼り付けられる。また、第２遮光シート３０ｂの他方の面は、面状照明装置１０をバックライトとして用いる液晶表示装置に貼り付けられる。
【００３３】
ＦＰＣ１２の外部接続部５０は、凹部２０ｃの側壁２０ａ側及び側壁２０ａの下端部側に跨がって形成された孔（図示しない）を挿通し、底部２０ｂの外側の面に沿って折り曲げられている。
【００３４】
図３Ａは、実施形態に係るＦＰＣ１２の反対面１２ｂを模式的に表した正面図であり、図３Ｂは、実施形態に係るＦＰＣ１２の実装面１２ａを模式的に表した正面図である。図４は、実施形態に係るＦＰＣ１２の反対面１２ｂの具体例を表した正面図である。図５は、実施形態に係るＦＰＣ１２の実装面１２ａの一部の具体例を表した正面図である。
【００３５】
図３Ｂには、実装面１２ａ上に、８個のＬＥＤ１４が直列に接続されたＬＥＤ１４の列であるＬＥＤ列（光源列）１４ｂが、５列並列に接続されている。すなわち、総数４０個のＬＥＤ１４が、実装面１２ａに実装されている。図３Ｂに示すように、ＬＥＤ列１４ｂを構成する複数のＬＥＤ１４は、実装面１２ａにおいてＸ軸方向（第１方向）に並んで実装される。
【００３６】
ＬＥＤ１４の実装の一例について説明する。図５に示すように、ＦＰＣ１２の実装面１２ａに、ランド部７１ａ〜７１ｄが形成される。ここで、ランド部７１ａは、後述するスルーホール５５ａに電気的に接続されている。また、ランド部７１ｂは、後述するスルーホール５５ｂに電気的に接続されている。領域８０に１つのＬＥＤ１４が配置され、ランド部７１ａには、ＬＥＤ１４の外部電極（アノード）が電気的に接続され、ランド部７１ｂには、ＬＥＤ１４の外部電極（カソード）が電気的に接続される。ランド部７１ｃは、後述するスルーホール５５ｂに電気的に接続され、ランド部７１ｄは、後述するスルーホール５５ａに電気的に接続されている。そして、ランド部７１ｃには、かかるＬＥＤ１４とＸ軸のマイナス方向において隣接するＬＥＤ１４の外部電極（カソード）が電気的に接続され、ランド部７１ｄには、Ｘ軸のプラス方向において隣接するＬＥＤ１４の外部電極（アノード）が電気的に接続される。図５に示すように、ＸＺ平面視において、ランド部７１ａ、７１ｄの領域内にスルーホール５５ａが形成される。また、ランド部７１ｂ、７１ｃの領域内にスルーホール５５ｂが形成される。以下、上述したランド部７１ａ〜７１ｄを含む全てのランド部を区別せずに説明する場合には、「ランド部７１」と表記する場合がある。上述したランド部７１ａ〜７１ｄ以外のランド部７１についても同様である。
【００３７】
なお、ＬＥＤ１４の総数、ＬＥＤ列１４ｂを構成するＬＥＤ１４の数、及び、並列数はこれに限られない。この４０個のＬＥＤ１４は、ＬＥＤ群１４ｃと称される。
【００３８】
図３Ａ、図３Ｂ及び図４に示すように、ＦＰＣ１２には、スルーホール５１ａ〜５１ｊが形成されている。以下、１０個のスルーホール５１ａ〜５１ｊを区別しないで説明する場合には、「スルーホール５１」と表記する場合がある。
【００３９】
図３Ａ及び図４に示すように、ＦＰＣ１２は、引き回し配線５２ａ〜５２ｊを備える。図３Ｂ中、最も右側（右端）のＬＥＤ列１４ｂを構成する８個のＬＥＤ１４のうち、最も右側のＬＥＤ１４は、スルーホール５１ａを介して、図３Ａ及び図４に示す引き回し配線５２ａに接続されている。また、図３Ｂ中、右端のＬＥＤ列１４ｂを構成する８個のＬＥＤ１４のうち、最も左側のＬＥＤ１４は、スルーホール５１ｂを介して、図３Ａ及び図４に示す引き回し配線５２ｂに接続されている。すなわち、引き回し配線５２ａは、スルーホール５１ａに接続され、引き回し配線５２ｂは、スルーホール５１ｂに接続されている。なお、図３Ａに示す領域５７ａは、図３Ｂにおいて右端のＬＥＤ列１４ｂに接続される引き回し配線５２ａ、５２ｂの一部、及び、図３Ｂにおいて右端のＬＥＤ列１４ｂを構成する８個のＬＥＤ１４を直列に接続する配線（後述する直列配線５６）が反対面１２ｂ上において形成される領域である。
【００４０】
また、図３Ｂ中、右端から２番目のＬＥＤ列１４ｂを構成する８個のＬＥＤ１４のうち、最も右側のＬＥＤ１４は、スルーホール５１ｃを介して、図３Ａ及び図４に示す引き回し配線５２ｃに接続されている。また、図３Ｂ中、右端から２番目のＬＥＤ列１４ｂを構成する８個のＬＥＤ１４のうち、最も左側のＬＥＤ１４は、スルーホール５１ｄを介して、図３Ａ及び図４に示す引き回し配線５２ｄに接続されている。すなわち、引き回し配線５２ｃは、スルーホール５１ｃに接続され、引き回し配線５２ｄは、スルーホール５１ｄに接続されている。なお、図３Ａに示す領域５７ｂは、図３Ｂにおいて右端から２番目のＬＥＤ列１４ｂに接続される引き回し配線５２ｃ、５２ｄの一部、及び、図３Ｂにおいて右端から２番目のＬＥＤ列１４ｂを構成する８個のＬＥＤ１４を直列に接続する配線（後述する直列配線５６）が反対面１２ｂ上において形成される領域である。
【００４１】
また、図３Ａに示すように、本実施形態に係るＦＰＣ１２は、下端側（Ｚ軸のマイナス方向側）に３つ（複数）の外部接続部５０ａ、５０ｂ、５０ｃを有する。外部接続部５０ａ、５０ｂ、５０ｃは、細長い短冊状である。外部接続部５０ａには、導電部５３ａが形成されている。引き回し配線５２ａ、５２ｂ、５２ｃ、５２ｄは、導電部５３ａに接続されている。すなわち、ＦＰＣ１２は、２つのＬＥＤ列１４ｂに対して１つの外部接続部５０ａを有する。なお、導電部５３ａは、上述した駆動回路に電気的に接続される。
【００４２】
また、図３Ｂ中、右端から３番目のＬＥＤ列１４ｂを構成する８個のＬＥＤ１４のうち、最も右側のＬＥＤ１４は、スルーホール５１ｅを介して、図３Ａ及び図４に示す引き回し配線５２ｅに接続されている。また、図３Ｂ中、右端から３番目のＬＥＤ列１４ｂを構成する８個のＬＥＤ１４のうち、最も左側のＬＥＤ１４は、スルーホール５１ｆを介して、図３Ａ及び図４に示す引き回し配線５２ｆに接続されている。すなわち、引き回し配線５２ｅは、スルーホール５１ｅに接続され、引き回し配線５２ｆは、スルーホール５１ｆに接続されている。なお、図３Ａに示す領域５７ｃは、図３Ｂにおいて右端から３番目のＬＥＤ列１４ｂに接続される引き回し配線５２ｅ、５２ｆの一部、及び、図３Ｂにおいて右端から３番目のＬＥＤ列１４ｂを構成する８個のＬＥＤ１４を直列に接続する配線（後述する直列配線５６）が反対面１２ｂ上において形成される領域である。
【００４３】
また、図３Ａに示すように、外部接続部５０ｂには、導電部５３ｂが形成されている。引き回し配線５２ｅ及び引き回し配線５２ｆは、導電部５３ｂに接続されている。すなわち、ＦＰＣ１２は、１つのＬＥＤ列１４ｂに対して１つの外部接続部５０ｂを有する。なお、導電部５３ｂは、上述した駆動回路に電気的に接続される。
【００４４】
また、図３Ｂ中、最も左側（左端）から２番目のＬＥＤ列１４ｂを構成する８個のＬＥＤ１４のうち、最も右側のＬＥＤ１４は、スルーホール５１ｇを介して、図３Ａ及び図４に示す引き回し配線５２ｇに接続されている。また、図３Ｂ中、左端から２番目のＬＥＤ列１４ｂを構成する８個のＬＥＤ１４のうち、最も左側のＬＥＤ１４は、スルーホール５１ｈを介して、図３Ａ及び図４に示す引き回し配線５２ｈに接続されている。すなわち、引き回し配線５２ｇは、スルーホール５１ｇに接続され、引き回し配線５２ｈは、スルーホール５１ｈに接続されている。なお、図３Ａに示す領域５７ｄは、図３Ｂにおいて左端から２番目のＬＥＤ列１４ｂに接続される引き回し配線５２ｇ、５２ｈの一部、及び、図３Ｂにおいて左端から２番目のＬＥＤ列１４ｂを構成する８個のＬＥＤ１４を直列に接続する配線（後述する直列配線５６）が反対面１２ｂ上において形成される領域である。
【００４５】
また、図３Ｂ中、左端のＬＥＤ列１４ｂを構成する８個のＬＥＤ１４のうち、最も右側のＬＥＤ１４は、スルーホール５１ｉを介して、図３Ａ及び図４に示す引き回し配線５２ｉに接続されている。また、図３Ｂ中、左端のＬＥＤ列１４ｂを構成する８個のＬＥＤ１４のうち、最も左側のＬＥＤ１４は、スルーホール５１ｊを介して、図３Ａ及び図４に示す引き回し配線５２ｊに接続されている。すなわち、引き回し配線５２ｉは、スルーホール５１ｉに接続され、引き回し配線５２ｊは、スルーホール５１ｊに接続されている。なお、図３Ａに示す領域５７ｅは、図３Ｂにおいて左端のＬＥＤ列１４ｂに接続される引き回し配線５２ｉ、５２ｊの一部、及び、図３Ｂにおいて左端のＬＥＤ列１４ｂを構成する８個のＬＥＤ１４を直列に接続する配線（後述する直列配線５６）が反対面１２ｂ上において形成される領域である。
【００４６】
また、図３Ａに示すように、外部接続部５０ｃには、導電部５３ｃが形成されている。引き回し配線５２ｇ、引き回し配線５２ｈ、引き回し配線５２ｉ及び引き回し配線５２ｊは、導電部５３ｃに接続されている。すなわち、ＦＰＣ１２は、２つのＬＥＤ列１４ｂに対して１つの外部接続部５０ｃを有する。なお、導電部５３ｃは、上述した駆動回路に電気的に接続される。
【００４７】
以下、外部接続部５０ａ〜５０ｃを区別しないで説明する場合には、「外部接続部５０」と表記する場合がある。また、引き回し配線５２ａ〜５２ｊを区別しないで説明する場合には、「引き回し配線５２」と表記する場合がある。引き回し配線５２は、第２の配線の一例である。また、導電部５３ａ〜５３ｃを区別しないで説明する場合には、「導電部５３」と表記する場合がある。
【００４８】
ここで、図４を参照して、導電部５３ａ〜５３ｃの具体例について説明する。図４に示すように、導電部５３ａは、接続パッド５４ａ、接続パッド５４ｂ及び接続パッド５４ｃを有する。接続パッド５４ａには、引き回し配線５２ａが接続され、接続パッド５４ｂには、引き回し配線５２ｃが接続され、接続パッド５４ｃには、引き回し配線５２ｂ及び引き回し配線５２ｄが接続される。例えば、引き回し配線５２ａは、図３Ｂ中最も右側のＬＥＤ列１４ｂを構成する８個のＬＥＤ１４のうち、最も右側のＬＥＤ１４のカソードに接続される。また、引き回し配線５２ｂは、図３Ｂ中最も右側のＬＥＤ列１４ｂを構成する８個のＬＥＤ１４のうち、最も左側のＬＥＤ１４のアノードに接続される。また、引き回し配線５２ｃは、図３Ｂ中右端から２番目のＬＥＤ列１４ｂを構成する８個のＬＥＤ１４のうち、最も右側のＬＥＤ１４のカソードに接続される。また、引き回し配線５２ｄは、図３Ｂ中右端から２番目のＬＥＤ列１４ｂを構成する８個のＬＥＤ１４のうち、最も左側のＬＥＤ１４のアノードに接続される。
【００４９】
導電部５３ｂは、接続パッド５４ｄ及び接続パッド５４ｅを有する。接続パッド５４ｄには、引き回し配線５２ｅが接続され、接続パッド５４ｅには、引き回し配線５２ｆが接続される。例えば、引き回し配線５２ｅは、図３Ｂ中右端から３番目のＬＥＤ列１４ｂを構成する８個のＬＥＤ１４のうち、最も右側のＬＥＤ１４のカソードに接続される。また、引き回し配線５２ｆは、図３Ｂ中右端から３番目のＬＥＤ列１４ｂを構成する８個のＬＥＤ１４のうち、最も左側のＬＥＤ１４のアノードに接続される。
【００５０】
導電部５３ｃは、接続パッド５４ｆ、接続パッド５４ｇ及び接続パッド５４ｈを有する。接続パッド５４ｆには、引き回し配線５２ｇが接続され、接続パッド５４ｇには、引き回し配線５２ｉが接続され、接続パッド５４ｈには、引き回し配線５２ｈ及び引き回し配線５２ｊが接続される。例えば、引き回し配線５２ｇは、図３Ｂ中左端から２番目のＬＥＤ列１４ｂを構成する８個のＬＥＤ１４のうち、最も右側のＬＥＤ１４のカソードに接続される。また、引き回し配線５２ｈは、図３Ｂ中左端から２番目のＬＥＤ列１４ｂを構成する８個のＬＥＤ１４のうち、最も左側のＬＥＤ１４のアノードに接続される。また、引き回し配線５２ｉは、図３Ｂ中最も左側のＬＥＤ列１４ｂを構成する８個のＬＥＤ１４のうち、最も右側のＬＥＤ１４のカソードに接続される。また、引き回し配線５２ｊは、図３Ｂ中最も左側のＬＥＤ列１４ｂを構成する８個のＬＥＤ１４のうち、最も左側のＬＥＤ１４のアノードに接続される。
【００５１】
以下、接続パッド５４ａ〜５４ｈを区別しないで説明する場合には、「接続パッド５４」と表記する場合がある。
【００５２】
上述したように、各ＬＥＤ列１４ｂ（複数のＬＥＤ１４（本実施形態では８個のＬＥＤ１４））に接続される引き回し配線５２は、ＦＰＣ１２の実装面１２ａと反対側の反対面１２ｂに形成される。また、引き回し配線５２は、各ＬＥＤ列１４ｂ（本実施形態では８個のＬＥＤ１４）の両端から延伸する配線である。
【００５３】
また、図３Ａに示すように、ＦＰＣ１２の反対面１２ｂには、隣接する２つのＬＥＤ１４を直列に接続する配線（直列配線）５６が、直列に接続されるＬＥＤ１４の数に応じて形成されている。すなわち、ＦＰＣ１２は、直列配線５６を備える。例えば、図３Ａ中、最も左側（左端）の直列配線５６（以下、左端直列配線と称する）は、図３Ｂ中、最も右側（右端）のＬＥＤ列１４ｂを構成する８個のＬＥＤ１４のうち、最も右側のＬＥＤ１４の外部電極（アノード）と、スルーホール５５ａを介して、接続されている。また、左端直列配線５６は、図３Ｂ中、最も右側（右端）のＬＥＤ列１４ｂを構成する８個のＬＥＤ１４のうち、最も右側のＬＥＤ１４の隣のＬＥＤ１４の外部電極（カソード）と、スルーホール５５ｂを介して、接続されている。他の直列配線５６も同様に、スルーホール５５ａ、５５ｂを介して、隣接する２つのＬＥＤ１４を直列に電気的に接続する。すなわち、直列配線５６は、一端が、隣接する２つのＬＥＤ１４のうち一方のＬＥＤ１４とスルーホール５５ａを介して接続され、他端が、他方のＬＥＤ１４とスルーホール５５ｂを介して接続される。直列配線５６は、第１の配線の一例であり、スルーホール５５ａは、第１のスルーホールの一例であり、スルーホール５５ｂは、第２のスルーホールの一例である。なお、スルーホール５５ａ、５５ｂは、例えば、ブラインドビアホール（Blind  via  hole（ＢＶＨ））である。
【００５４】
そして、反対面１２ｂには、直列配線５６及び引き回し配線５２を覆うようにカバーレイ（図示しない）が配置される。すなわち、ＦＰＣ１２は、カバーレイを備える。
【００５５】
本実施形態に係る面状照明装置１０では、ＦＰＣ１２のＬＥＤ１４が実装される実装面１２ａではなく、実装面１２ａとは反対側の反対面１２ｂに直列配線５６が形成される。そして、本実施形態に係る面状照明装置１０では、実装面１２ｂに、カバーレイが配置されず、反対面１２ｂに、カバーレイが配置される。ここで、反対面１２ｂには、ＬＥＤ１４が実装されていないため、配置されるカバーレイの形状の制約が比較的少ない。このため、反対面１２ｂにカバーレイを配置することは、実装面１２ａにカバーレイを配置することに比べて容易である。したがって、本実施形態に係る面状照明装置１０は、直列配線５６及び引き回し配線５２を断線から保護するカバーレイを容易に配置することができる。
【００５６】
また、反対面１２ｂには、ＬＥＤ１４等の電気部品が実装されていないため、直列配線５６のパターン形状の自由度が比較的大きい。例えば、直列配線５６を比較的太い線幅で単調な形状とすることが可能である。更に、直列配線５６に半田が必要とされないため、直列配線５６の強度を大きくすることができ、半田の端部に応力が集中することによる直列配線５６の断線の発生を抑制することができる。
【００５７】
図６は、図４におけるＦＰＣ１２の部分７０の拡大図である。図６に示すように、直列配線５６は、Ｘ軸方向（複数のＬＥＤ１４が並ぶ方向）に延伸し、端部の形状が円弧となる配線である。また、図６に示すように、引き回し配線５２ｄは、反対面１２ｂに、直列配線５６と接触（干渉）しないように形成される。具体的には、例えば、図６に示すように、直列配線５６は、ＦＰＣ１２の反対面１２ｂの短辺方向（Ｚ軸方向）における中央部に形成される。なお、反対面１２ｂの短辺方向における中央部とは、例えば、反対面１２ｂの短辺方向における中央よりの一定の範囲の部分を指す。そして、反対面１２ｂの長辺方向（Ｘ軸方向）において直列配線５６が形成されていない範囲では、引き回し配線５２ｄが、反対面１２ｂの短辺方向における中央部に、反対面１２ｂの長辺方向に延びるように形成され、直列配線５６の端部と対向する部分において２本（複数）の配線に分岐される。そして、反対面１２ｂの長辺方向において直列配線５６が形成されていない範囲では、分岐された２本の配線が、反対面１２の短辺方向において直列配線５６の両側に形成される。引き回し配線５２ａ、５２ｄ〜５２ｇ、５２ｊについても、引き回し配線５２ｄと同様に、反対面１２ｂに、直列配線５６と接触しないように形成される。これにより、ＬＥＤ１４の短絡（ショート）の発生を抑制することができる。
【００５８】
以上、本実施形態に係る面状照明装置１０について説明した。上述したように、本実施形態に係る面状照明装置１０によれば、直列配線（ＬＥＤ１４を直列に接続する配線）５６の断線の発生を抑制することができるができる。
【００５９】
なお、上述したＬＥＤ１４のアノードに接続される引き回し配線５２が、ＬＥＤ１４のカソードと接続され、上述したＬＥＤ１４のカソードに接続される引き回し配線５２が、ＬＥＤ１４のアノードと接続されてもよい。このように、カソードとアノードとで引き回し配線５２の接続が変更した場合には、直列配線５６は、スルーホール５５ａを介して、ＬＥＤ１４の外部電極（カソード）と接続し、スルーホール５５ｂを介して、ＬＥＤ１４の外部電極（アノード）と接続することとなる。
【００６０】
（実施形態の変形例）
上述した実施形態では、外部接続部５０が３つである場合について説明したが、外部接続部５０の数は、これに限られない。例えば、外部接続部５０の数を減らして２つにしてもよい。そこで、このような実施形態を、実施形態の変形例に係る面状照明装置として説明する。第１の変形例の説明において、上述した実施形態と同様の構成については、同一の符号を付して、説明を省略する場合がある。
【００６１】
変形例に係る面状照明装置は、上述した外部接続部５０ａ〜５０ｃのうち、外部接続部５０ａ、５０ｃのみを備える点が、上述した実施形態に係る面状照明装置１０と異なる。図７は、実施形態の変形例に係る面状照明装置を説明するための図である。図８は、図７における部分８１の拡大図である。
【００６２】
図７に示すように、変形例に係る面状照明装置では、引き回し配線５２ｅが、外部接続部５０ａに向かって延びる。引き回し配線５２ｅは、接続パッド５４ａ又は接続パッド５４ｂに接続される。また、変形例に係る引き回し配線５２ｄ、５２ｅは、実施形態に係る引き回し配線５２ｄ、５２ｅと比べて、線幅が細い。これは、引き回し配線５２ｄと引き回し配線５２ｅとが、同一の外部接続部５０（外部接続部５０ａ）に向かって延びているためである。
【００６３】
図８に示すように、引き回し配線５２ｅは、Ｚ軸方向において、引き回し配線５２ｄと重なる。すなわち、一のＬＥＤ列１４ｂから延伸する引き回し配線５２ｄと、他のＬＥＤ列１４ｄから延伸する引き回し配線５２ｅとが、Ｘ軸方向と交差するＺ軸方向（第２方向）において重なる。
【００６４】
また、変形例に係る面状照明装置では、図示は省略したが、引き回し配線５２ｆが、外部接続部５０ｃに向かって延びる。引き回し配線５２ｆは、接続パッド５４ｈに接続される。また、変形例に係る引き回し配線５２ｆ、５２ｇは、実施形態に係る引き回し配線５２ｆ、５２ｇと比べて、線幅が細い。これは、引き回し配線５２ｆと引き回し配線５２ｇとが、同一の外部接続部５０（外部接続部５０ｃ）に向かって延びているためである。
【００６５】
そして、引き回し配線５２ｆは、Ｚ軸方向において、引き回し配線５２ｇと重なる。すなわち、一のＬＥＤ列１４ｂから延伸する引き回し配線５２ｇと、他のＬＥＤ列１４ｄから延伸する引き回し配線５２ｆとが、Ｘ軸方向と交差するＺ軸方向（第２方向）において重なる。
【００６６】
このように、一のＬＥＤ列１４ｂから延伸する引き回し配線５２と、他のＬＥＤ列１４ｄから延伸する引き回し配線５２とを、Ｚ軸方向において重ねることで、外部接続部５０の数を少なくすることができる。
【００６７】
なお、上述した実施形態及び変形例では、ＦＰＣ１２の反対面１２ｂ上に引き回し配線５２が形成される場合について説明したが、ＦＰＣ１２の実装面１２ａ上に引き回し配線５２を形成してもよい。例えば、実装面１２ａにＬＥＤ１４を実装しても、実装面１２ａにおいて引き回し配線５２を形成する領域（スペース）を確保できる場合には、実装面１２ａ上に引き回し配線５２を形成してもよい。
【００６８】
また、上述した実施形態及び変形例では、全ての直列配線５６が、ＦＰＣ１２の反対面１２ｂに形成される例について説明した。しかしながら、全ての直列配線５６のうち、一部の直列配線５６がＦＰＣ１２の反対面１２ｂに形成され、他の直列配線５６がＦＰＣ１２の実装面１２ａに形成されてもよい。また、全ての直列配線５６が、ＦＰＣ１２の反対面１２ｂ及び実装面１２ａの両面に形成されてもよい。すなわち、全ての直列配線５６について、直列配線５６の一部が反対面１２ｂに形成され、他の部分が実装面１２ａに形成されてもよい。
【００６９】
以上、実施形態及び変形例について説明した。なお、上記実施の形態及び上記変形例により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７０】
１０  面状照明装置
１２  ＦＰＣ（基板）
１３  固定部材
１４  ＬＥＤ（光源）
１４ｂ  光源列
１５  第１連結部材
１５ａ  粘着層
１５ｂ  基材
１６  導光板
１７  第２連結部材
１８  拡散シート
１９  プリズムシート
２０  フレーム
２０ａ  側壁
２０ｂ  底部
２０ｃ  凹部
２０ｄ  床面
２０ｅ  側面
３０  遮光シート
３０ａ  第１遮光シート
３０ｂ  第２遮光シート
５０ａ〜５０ｃ  外部接続部
５１ａ〜５１ｊ  スルーホール
５２ａ〜５２ｊ  引き回し配線（第２の配線）
５３ａ〜５３ｃ  導電部
５４ａ〜５４ｈ  接続パッド
５５ａ、５５ｂ  スルーホール（第１のスルーホール、第２のスルーホール）
５６  直列配線（第１の配線）
【図１】
2018037397.tif 000003
【図２】
2018037397.tif 000004
【図３Ａ】
2018037397.tif 000005
【図３Ｂ】
2018037397.tif 000006
【図４】
2018037397.tif 000007
【図５】
2018037397.tif 000008
【図６】
2018037397.tif 000009
【図７】
2018037397.tif 000010
【図８】
2018037397.tif 000011
【図９】
2018037397.tif 000012
【図１０】
2018037397.tif 000013
【図１１】
2018037397.tif 000014
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
側面から入射された光を出射する導光板と、
前記側面側に配置され、前記側面に入射される光を発する複数の光源と、
前記複数の光源が実装される実装面を有する基板と、
前記基板の前記実装面と反対側の反対面に形成され、前記複数の光源を直列に接続する第１の配線と、
を備える、面状照明装置。
【請求項２】
前記第１の配線は、一端が、隣接する２つの光源のうち一方の光源と第１のスルーホールを介して接続され、他端が他方の光源と第２のスルーホールを介して接続される、請求項１に記載の面状照明装置。
【請求項３】
前記スルーホールが、ブラインドビアホールである、請求項２に記載の面状照明装置。
【請求項４】
前記直列に接続される複数の光源を含む光源列の両端から延伸し、前記反対面に前記第１の配線と接触しないように形成される第２の配線を更に備える、請求項１に記載の面状照明装置。
【請求項５】
前記直列に接続される複数の光源は、前記実装面において第１方向に並んで実装され、
１つの前記光源列又は隣接する２つの光源列ごとに外部接続部が設けられる、請求項４に記載の面状照明装置。
【請求項６】
１の光源列における前記第２の配線は、他の光源列における前記第２の配線と前記第１方向と交差する第２方向において重ならない、請求項５に記載の面状照明装置。
【請求項７】
前記外部接続部は、複数設けられる、請求項５に記載の面状照明装置。
【請求項８】
前記直列に接続される複数の光源は、前記実装面において第１方向に並んで実装され、
前記第１の配線は、前記反対面の前記第１方向と交差する第２方向における中央部に形成され、
前記反対面の前記第１方向において前記第１の配線が形成されていない範囲では、前記第２の配線が、前記反対面の前記第２方向における中央部に形成され、前記第１の配線の端部と対向する部分において複数の配線に分岐され、
前記反対面の前記第１方向において前記第１の配線が形成されている範囲では、前記複数の配線が、前記反対面の前記第２方向において前記第１の配線の両側に形成される、
請求項４に記載の面状照明装置。 
【請求項９】
前記直列に接続される複数の光源は、前記実装面において第１方向に並んで実装され、
複数の前記光源列が、前記実装面において前記第１方向に並び、
一の光源列から延伸する第２の配線と、他の光源列から延伸する第２の配線とが、前記第１方向と交差する第２方向において重なる、請求項４に記載の面状照明装置。 
【請求項１０】
前記実装面及び前記反対面のうち、前記反対面に前記第１の配線を覆うように配置されるカバーレイを更に備える、請求項１〜９のいずれか１つに記載の面状照明装置。 
【請求項１１】
複数の光源が実装される実装面を有する基板であって、
前記基板の前記実装面と反対側の反対面に形成され、前記複数の光源を直列に接続する第１の配線を備える基板。 
【請求項１２】
前記第１の配線は、一端が、隣接する２つの光源のうち一方の光源と第１のスルーホールを介して接続され、他端が他方の光源と第２のスルーホールを介して接続される、請求項１１に記載の基板。
【請求項１３】
前記直列に接続される複数の光源を含む光源列の両端から延伸し、前記反対面に前記第１の配線と接触しないように形成される第２の配線を更に備える、請求項１１に記載の基板。
【請求項１４】
前記直列に接続される複数の光源は、前記実装面において第１方向に並んで実装され、
１つの前記光源列又は隣接する２つの光源列ごとに外部接続部が設けられる、請求項１３に記載の基板。
【請求項１５】
１の光源列における前記第２の配線は、他の光源列における前記第２の配線と前記第１方向と交差する第２方向において重ならない、請求項１４に記載の基板。
【請求項１６】
前記外部接続部は、複数設けられる、請求項１４に記載の基板。
【請求項１７】
前記直列に接続される複数の光源は、前記実装面において第１方向に並んで実装され、
前記第１の配線は、前記反対面の前記第１方向と交差する第２方向における中央部に形成され、
前記反対面の前記第１方向において前記第１の配線が形成されていない範囲では、前記第２の配線が、前記反対面の前記第２方向における中央部に形成され、前記第１の配線の端部と対向する部分において複数の配線に分岐され、
前記反対面の前記第１方向において前記第１の配線が形成されている範囲では、前記複数の配線が、前記反対面の前記第２方向において前記第１の配線の両側に形成される、
請求項１３に記載の基板。 
【請求項１８】
前記直列に接続される複数の光源は、前記実装面において第１方向に並んで実装され、
複数の前記光源列が、前記実装面において前記第１方向に並び、
一の光源列から延伸する第２の配線と、他の光源列から延伸する第２の配線とが、前記第１方向と交差する第２方向において重なる、請求項１３に記載の基板。 
【請求項１９】
前記実装面及び前記反対面のうち、前記反対面に前記第１の配線を覆うように配置されるカバーレイを更に備える、請求項１１〜１８のいずれか１つに記載の基板。